(57)【要約】【課題】  ネジ１２又はボルト１３で締め付けて固定させるまでの仮止め状態でも確実に保持できて仮止め中にストッパーが脱落するおそれがないようにする。【解決手段】  軒樋支持具２に対して軒樋１が軒樋１の長手方向に移動しないようにするため軒樋支持具２に当たるストッパーＡを軒樋１の前側の耳部３の近傍に取り付けた軒樋のストッパー取り付け構造である。これにおいて、軒樋１の前壁５の上端から後方に連出した連出片６の先端から下方に前側の耳部３を突設して前壁５の上端部と連出片６と前側の耳部３で囲まれた下方を開口せる保持隙間７を形成する。ストッパーＡの圧入部８を保持隙間７に下方の開口から圧入すると共に、連出片６の上面からネジ１２又はボルト１３で締め付けて固定させる。【選択図】図１
2005133325.tif 000002
【特許請求の範囲】
【請求項１】
軒先に沿って軒樋を配設すると共に建物に取り付けた軒樋支持具に軒樋の前後の耳部を
嵌合して軒樋を吊り支持し、軒樋支持具に対して軒樋が軒樋の長手方向に移動しないよう
にするため軒樋支持具に当たるストッパーを軒樋の前側の耳部の近傍に取り付けた軒樋の
ストッパー取り付け構造において、軒樋の前壁の上端から後方に連出した連出片の先端か
ら下方に前側の耳部を突設して前壁の上端部と連出片と前側の耳部で囲まれた下方を開口
せる保持隙間を形成し、ストッパーの圧入部を保持隙間に下方の開口から連出片の内下面
に圧入すると共に前側の耳部の弾性にて前側の耳部と前壁の上端部との間に圧入部を挟み
込ませ、連出片の上面からネジ又はボルトで締め付けて固定させることを特徴とする軒樋
へのストッパー取り付け構造。
【発明の詳細な説明】
【技術分野】
【０００１】
本発明は、軒樋を軒樋支持具に吊り支持したとき、軒樋支持具に対して軒樋が軒樋の長
手方向に移動しないように止めるためのストッパーを取り付ける構造に関するものである
。
【背景技術】
【０００２】
従来のこの種のストッパーＡ′として図３や図４に示すものがある（例えば、特許文献
１参照。）。これは略逆Ｌ字状の持ち手ａの下部から一対の差し込み片ｂを間隔を隔てて突
設してあり、差し込み片ｂの先端には横向き半円柱状の嵌合部ｃを設けてあり、一対の差
し込み片ｂの間で持ち手ａの下部から斜め上方に突出するようにばね片ｄを突設してある
。また軒樋ｅの前側の耳部ｆの下には断面半円状の凹所ｈを長手方向に亙って設けてあり
、凹所ｈを開口部ｉにて軒樋ｅ内に開放してある。
【０００３】
軒樋ｅにストッパーＡ′を取り付ける場合、まず、差し込み片ｂの下面側に図３（ｂ）
に示すように接着剤ｊを塗布し、持ち手ａを手で持って図４（ａ）の状態から嵌合部ｃを
開口部ｉに挿入し、図４（ｂ）に示すようにストッパーＡ′を回転し、図４（ｃ）に示す
ように嵌合部ｃを凹所ｈ内に嵌合させ、ばね片ｄを内面に弾接させた状態で接着剤ｊが硬
化するまで保持する。このようにストッパーＡ′を軒樋ｅに取り付けると、軒樋ｅを吊り
支持する軒樋支持具の前端部を一対の差し込み片ｂ間に位置させることで軒樋ｅが軒樋支
持具に対して軒樋ｅの長手方向に移動しないように止められるようになっている。
【特許文献１】特開平１１−９３３５１号公報
【発明の開示】
【発明が解決しようとする課題】
【０００４】
ところが、上記従来例ではストッパーＡ′を軒樋ｅに取り付けた場合、接着剤ｊが乾い
て硬化するまでストッパーＡ′を仮止めするのはストッパーＡ′のばね片ｄの弾性力のみ
にたよっている部分が大きく、接着剤ｊが乾いて硬化するまで強固に係止できているとは
云えない。このため、接着剤ｊが乾いて硬化するまでの仮止め中にストッパーＡ′が抜け
落ちてしまうおそれがある。またストッパーＡ′を取り付けた時、ストッパーＡ′が確実
に取り付けられたか確認し難く、ストッパーＡ′が確実に取り付けられないことが起こる
という問題がある。またストッパーＡ′の嵌合部ｃを嵌め込む際、接着剤ｊが掻き落とさ
れるおそれがあり、接着剤ｊで確実に接着できないという問題がある。
【０００５】
本発明は上記の点に鑑みてなされたものであり、接着剤を塗布する必要がなく、締め付
け固定するまでの仮止め状態でも確実に保持できて仮止め中にストッパーが脱落するおそ
れがない軒樋へのストッパー取り付け構造を提供することを課題とするものである。
【課題を解決するための手段】
【０００６】
上記課題を解決するための本発明の軒樋へのストッパー取り付け構造は、軒先に沿って
軒樋１を配設すると共に建物の取り付けた軒樋支持具２に軒樋１の前後の耳部３，４を嵌
合して軒樋１を吊り支持し、軒樋支持具２に対して軒樋１が軒樋１の長手方向に移動しな
いようにするため軒樋支持具２に当たるストッパーＡを軒樋１の前側の耳部３の近傍に取
り付けた軒樋のストッパー取り付け構造において、軒樋１の前壁５の上端から後方に連出
した連出片６の先端から下方に前側の耳部３を突設して前壁５の上端部と連出片６と前側
の耳部３で囲まれた下方を開口せる保持隙間７を形成し、ストッパーＡの圧入部８を保持
隙間７に下方の開口から連出片６の内下面に圧入すると共に前側の耳部３の弾性にて前側
の耳部３と前壁５の上端部との間に圧入部８を挟み込ませ、連出片６の上面からネジ１２
又はボルト１３で締め付けて固定させることを特徴とする。このようにストッパーＡの圧
入部８を保持隙間７に圧入してストッパーＡを取り付けるとき、軒樋１の長手方向に亙る
前側の耳部３の弾性にて前側の耳部３と前壁５の上端部との間に圧入部８が挟み込まれて
保持されるため、ネジ１２又はボルト１３で締め付けてストッパーＡを固定する際、取り
付けが完了するまでの仮保持が従来のばね片によるものに比べて遥かに強固で、ストッパ
ーＡが脱落しないように確実に取り付けることができきる。
【０００７】
また前側の耳部３の保持隙間７側の面に凸部１０を設けると共にストッパーＡの圧入部
８に凹部１１を設けて凸部１０と凹部１１とを係止したことを特徴とすることも好ましい
。この場合、凸部１０と凹部１１とを係止してストッパーＡを一層確実に取り付けること
ができる。また圧入部８を保持隙間７に圧入して凸部１０と凹部１１を係止したとき「パ
チン」というような音がするので圧入部８がきちんと嵌め込まれてストッパーＡが確実に
取り付けられたか確認でき、ストッパーＡを所定の状態に確実に取り付けることができる
。
【発明の効果】
【０００８】
本発明はストッパーの圧入部を保持隙間に圧入してストッパーを取り付けるとき、軒樋
の長手方向に亙る前側の耳部の弾性にて前側の耳部と前壁の上端部との間に圧入部が挟み
込まれて保持されるため、ネジ又はボルトで締め付けてストッパーを固定する際、取り付
けが完了するまでの仮保持が従来のばね片によるものに比べて遥かに強固で、ストッパー
が脱落しないように確実に取り付けることができるものであり、接着剤を塗布する必要が
ないものである。
【発明を実施するための最良の形態】
【０００９】
ストッパーＡは軒樋支持具２に軒樋１を吊り支持したとき軒樋１が軒樋１の長手方向に
移動しないように止めるものであって、合成樹脂等にて図２に示すような形状に形成され
ている。前側の耳部３で囲まれた下方を開口せる保持隙間７にストッパーＡを取り付ける
とき圧入する圧入部８を有するものであって、本例の場合、略Ｌ型形状で圧入部８の上面
にネジ取り付け用のネジ穴１９を有している。
【００１０】
圧入部８の前側の耳部３に接する側の面には前側の耳部３の凸部１０に係止する凹部１
１を設けてある。圧入部８の先端には前側の耳部３の凹部に係止する凸部を設けてある。
【００１１】
上記のストッパーＡを取り付ける軒樋１としては図１に示すような形状のものがある。
図１に示す軒樋１は前壁５が全体的に彎曲形状に形成してあり、この軒樋１は前壁５の上
端から後方に向けて軒樋１の長手方向に亙る連出片６を連出してあり、連出片６の先端か
ら下方に突出するように前側の耳部３を長手方向全長に亙って突設してある。そして前壁
５の上端部と連出片６と前側の耳部３とで囲まれ部分に下方を開口せる保持隙間７を形成
してある。このとき耳部３の保持隙間７に臨む面には凹部１１に係止する凸部１０を設け
てあるが、図１に示す軒樋１では凸部１０を設けてある。また軒樋１の後壁１４の上端に
は後側の耳部４を長手方向全長に亙って設けてある。
【００１２】
軒樋支持具２は支持具本体２ａの後端に鼻板等に取り付けるための取り付け板１５を一
体に設けてあり、支持具本体２ａの先端には前耳係合部を設けてあり、支持具本体２ａの
後端の手前に後耳嵌合部１７を設けてある。この軒樋支持具２は取り付け板１５を鼻板等
に固着することで取り付けられ、軒先に沿って配置した軒樋１の保持隙間７を軒樋支持具
２の前耳係合部を係合すると共に軒樋１の後側の耳部４に後耳嵌合部１７を嵌合すること
で軒樋１が吊り支持される。
【００１３】
上記のように軒樋１を軒樋支持具２で吊り支持した状態で軒樋支持具２に対して軒樋１
が軒樋１の長手方向に移動しないように軒樋支持具２の左右の両側で軒樋１にストッパー
Ａが取り付けられる。図１に示す軒樋１にストッパーＡを取り付ける場合、立片１２を手
で持って軒樋１の前壁５と耳部３との間の保持隙間７に圧入部８を圧入する。このとき、
凹部１１と凸部１０とが係止する位置まで圧入され、係止によりパチンという音が発した
りして所定位置まで圧入されたか確認されて所定位置まで確実に圧入される。圧入部８を
保持隙間７に圧入した状態で耳部３の図１の矢印イ方向の弾性にて圧入部８が挟み込まれ
、連出片６の上面からネジ１２又はボルト１３で締め付けて固定するまでストッパーＡの
圧入部８が外れないように確実に仮保持される。この際、凹部１１と凸部１０との係止に
てもさらにストッパーＡが外れないように取り付けられる。
【００１４】
上記のように軒樋１にストッパーＡを取り付けることにより、軒樋１が軒樋支持具２に
対して軒樋１の長手方向に移動しないように止めることができるが、本発明のストッパー
Ａの場合、上記のように接着剤を塗布することなく強固に確実に固定できる。また、簡便
に耳部に装着することができ、施工性の向上を図ることができる。
【図面の簡単な説明】
【００１５】
【図１】本発明の実施の形態の一例で軒樋にストッパーを取り付けた状態の断面図である。
【図２】同上のストッパーを示す斜視図である。
【図３】（ａ）は従来例のストッパーの斜視図、（ｂ）はストッパーに接着剤を塗布した状態の斜視図である。
【図４】（ａ）（ｂ）（ｃ）は従来例の軒樋にストッパーを取り付ける状態を説明する断面図である。
【符号の説明】
【００１６】
Ａ  ストッパー
１  軒樋
２  軒樋支持具
３  前側の耳部
４  後側の耳部
５  前壁
６  連出片
７  保持隙間
８  圧入部
１０  凸部
１１  凹部
１２  ネジ
【図１】
2005133325.tif 000003
【図２】
2005133325.tif 000004
【図３】
2005133325.tif 000005
【図４】
2005133325.tif 000006